(57)【要約】【課題】建物基礎を介した熱橋を遮断することができる建物の床断熱構造及び床断熱構造建物の施工方法を提供する。【解決手段】建物の床断熱構造１０を、床大梁３４のうち独立基礎５６の立上部５６Ｂの天端部５６Ｃの建物上方側に天端部５６Ｃの両方の縁部５６Ｃ１よりも内側にオフセットして配置された独立基礎上梁部６６と、独立基礎５６の立上部５６Ｂの地盤上の側面を形成する立上側面部５６Ｂ１に設けられ、立上側面部５６Ｂ１の全面を密着して覆う第１床断熱材８４と、独立基礎上梁部６６のウェブ４５及び上フランジ４６の第１床断熱材８４側の表面を覆う第２床断熱材８６と、第１床断熱材８４と第２床断熱材８６に上下に挟まれるように設けられ、下フランジ４２と床下空間５４とを遮断する第３床断熱材８２と、を含んで構成する。【選択図】図３
2020133127.tif 000002
【特許請求の範囲】
【請求項１】
建物の躯体フレームを構成する外柱の下端部間に架設され、ウェブ、上フランジ及び下フランジを含んで構成された床大梁のうち独立基礎の立上部の天端部の建物上方側に前記天端部の両方の縁部よりも内側にオフセットして配置された独立基礎上梁部と、
前記独立基礎の前記立上部の地盤上の側面を形成する立上側面部に設けられ前記立上側面部の全面を密着して覆う第１床断熱材と、
前記独立基礎上梁部の前記ウェブ及び前記上フランジの前記第１床断熱材側の表面を覆う第２床断熱材と、
前記第１床断熱材と前記第２床断熱材に上下に挟まれるように設けられ、前記下フランジと床下空間とを遮断する第３床断熱材と、
を含んで構成された建物の床断熱構造。
【請求項２】
前記第１床断熱材は、発泡プラスチック系断熱材により構成された請求項１に記載の建物の床断熱構造。
【請求項３】
前記第３床断熱材は、前記天端部を覆うように配置された繊維系断熱材を含んで構成された請求項１又は請求項２に記載の建物の床断熱構造。
【請求項４】
前記独立基礎上梁部と前記独立基礎上梁部に対向する前記床大梁の間に架け渡された床小梁の表面に、繊維系断熱材又は発泡プラスチック系断熱材が配置された請求項１から請求項３のいずれか１項に記載の建物の床断熱構造。
【請求項５】
独立基礎の立上部の天端部に、建物の躯体フレームを構成する外柱の下端部間に架設され、ウェブ、上フランジ及び下フランジを含んで構成された床大梁を前記天端部の両方の縁部よりも内側にオフセットして配置可能に建物上下方向に沿ってボルト挿通孔を形成する第１工程と、
繊維系断熱材を前記天端部の全面を覆うように配置する第２工程と、
前記天端部に配置された前記繊維系断熱材に、前記ボルト挿通孔と建物上下方向に沿って重なる位置に孔を形成する第３工程と、
前記下フランジと前記ボルト挿通孔に建物上下方向に沿ってアンカーボルトを挿通し、前記床大梁を前記独立基礎に緊結する第４工程と、
を含んで構成された床断熱構造建物の施工方法。
【発明の詳細な説明】
【技術分野】
【０００１】
本発明は、建物の床断熱構造及び床断熱構造建物の施工方法に関する。
【背景技術】
【０００２】
下記特許文献１には、建物基礎と建物基礎上に配置された床梁が、建物基礎の側面に取り付けられた断熱材を介して接続された建物の床断熱構造が開示されている。また、長辺床梁及び短辺床梁のうち一方の床梁の内部には、断熱材が設けられると共に当該床梁と対向して当該断熱材を覆う対向梁が設けられている。
【先行技術文献】
【特許文献】
【０００３】
【特許文献１】特開２０１３−０６８０８２号公報
【発明の概要】
【発明が解決しようとする課題】
【０００４】
しかしながら、特許文献１に記載された建物によれば、建物基礎の側面の建物下方側は、断熱材が設けられていないため床下空間の外気と直接接触する。このため、建物基礎と床下空間との間に温度差が生じることによって熱伝達が発生する。また、建物基礎の天端部の建物上方側に設けられた床梁の下面と天端部との間には断熱材が設けられていないため、床梁と天端部との間に温度差が生じることによって熱伝達が発生する。これにより、床梁と床下空間との間に建物基礎を介して熱伝達が発生する場合がある。さらに、床梁が天端部の両方の縁部よりも内側にオフセットして配置される場合は、建物基礎の側面から建物上方側へ延在された断熱材を介して建物基礎と床梁とを接続することが難しい。このため、建物基礎を介した熱橋を適切に遮断することができる建物の床断熱構造を構成することが望ましい。
【０００５】
本発明は、上記事実を考慮し、建物基礎を介した熱橋を適切に遮断することができる建物の床断熱構造及び床断熱構造建物の施工方法を得ることを目的とする。
【課題を解決するための手段】
【０００６】
第１の態様に係る建物の床断熱構造は、建物の躯体フレームを構成する外柱の下端部間に架設され、ウェブ、上フランジ及び下フランジを含んで構成された床大梁のうち独立基礎の立上部の天端部の建物上方側に前記天端部の両方の縁部よりも内側にオフセットして配置された独立基礎上梁部と、前記独立基礎の前記立上部の地盤上の側面を形成する立上側面部に設けられ前記立上側面部の全面を密着して覆う第１床断熱材と、前記独立基礎上梁部の前記ウェブ及び前記上フランジの前記第１床断熱材側の表面を覆う第２床断熱材と、前記第１床断熱材と前記第２床断熱材に上下に挟まれるように設けられ、前記下フランジと床下空間とを遮断する第３床断熱材と、を含んで構成されている。
【０００７】
第１の態様に係る建物の床断熱構造によれば、建物の床断熱構造は、独立基礎の立上側面部の全面を覆う第１床断熱材と独立基礎上梁部のウェブ及び上フランジの第１床断熱材側の表面を覆う第２床断熱材を含んで構成されている。さらに、下フランジと床下空間との間を遮断する第３床断熱材が第１床断熱材と第２床断熱材に上下に挟まれるように設けられている。このため、独立基礎上梁部と床下空間との間に独立基礎を介した熱伝達が発生することを防止又は抑制することができる。これにより、建物基礎を介した熱橋を適切に遮断することができる。
【０００８】
第２の態様に係る建物の床断熱構造は、第１の態様において、前記第１床断熱材は、発泡プラスチック系断熱材により構成されている。
【０００９】
第２の態様に係る建物の床断熱構造によれば、第１床断熱材を構成する発泡プラスチック系断熱材は、安定した形状を維持することができるため、立上部の側面をより効果的に覆うことができる。このため、立上部の側面と外気との直接接触をより適切に防止することができる。これにより、建物基礎を介した熱橋をより適切に遮断することができる。
【００１０】
第３の態様に係る建物の床断熱構造は、第１の態様又は第２の態様において、前記第３床断熱材は、前記天端部を覆うように配置された繊維系断熱材を含んで構成されている。
【００１１】
第３の態様に係る建物の床断熱構造によれば、第１床断熱材と第２床断熱材に上下に挟まれるように設けられ、下フランジと床下空間とを遮断する第３床断熱材は、天端部を覆うように配置される。このため、床大梁の下フランジを介して独立基礎上梁部と床下空間との間に熱伝達が発生することを防止又は抑制できると共に天端部と独立基礎上梁部との間に熱伝達が発生することをより適切に防止又は抑制できる。これにより、建物基礎を介した熱橋をより適切に遮断することができる。
【００１２】
第４の態様に係る建物の床断熱構造は、第１から第３の態様の何れか１の態様において、前記独立基礎上梁部と前記独立基礎上梁部に対向する前記床大梁の間に架け渡された床小梁の表面に、繊維系断熱材又は発泡プラスチック系断熱材が配置されている。
【００１３】
第４の態様に係る建物の床断熱構造によれば、床小梁の表面には、繊維系断熱材又は発泡プラスチック系断熱材が配置されている。このため、独立基礎及び床梁と床梁の建物上方側に配設される床との間に熱伝達が発生することをより包括的に防止又は抑制することができる。これにより、建物基礎を介した熱橋をより適切に遮断することができる。
【００１４】
第５の態様に係る床断熱構造建物の施工方法は、独立基礎の立上部の天端部に、建物の躯体フレームを構成する外柱の下端部間に架設され、ウェブ、上フランジ及び下フランジを含んで構成された床大梁を前記天端部の両方の縁部よりも内側にオフセットして配置可能に建物上下方向に沿ってボルト挿通孔を形成する第１工程と、繊維系断熱材を前記天端部の全面を覆うように配置する第２工程と、前記天端部に配置された前記繊維系断熱材に、前記ボルト挿通孔と建物上下方向に沿って重なる位置に孔を形成する第３工程と、前記下フランジと前記ボルト挿通孔に建物上下方向に沿ってアンカーボルトを挿通し、前記床大梁を前記独立基礎に緊結する第４工程と、を含んで構成されている。
【００１５】
第５の態様に係る床断熱構造建物の施工方法によれば、第２工程において天端部の全面を覆うように配置された繊維系断熱材は、容易に加工することができる。このため、第３工程において繊維系断熱材に孔を容易に形成することができると共に第４工程においてアンカーボルトとボルト挿通孔との位置合わせを容易にすることができる。また、天端部の全面を覆うように配置された繊維系断熱材により、天端部と独立基礎上梁部との間に熱伝達が発生することをより適切に防止又は抑制できる。これにより、建物基礎を介した熱橋をより適切に遮断する建物の床断熱構造を簡易に構成することができる。
【発明の効果】
【００１６】
以上説明したように、第１の態様に係る建物の床断熱構造は、建物基礎を介した熱橋を適切に遮断することができるという優れた効果を有する。
【００１７】
第２の態様に係る建物の床断熱構造は、立上部の側面と外気との直接接触をより適切に防止することができるため、建物基礎を介した熱橋をより適切に遮断することができるという優れた効果を有する。
【００１８】
第３の態様に係る建物の床断熱構造は、床大梁の下フランジを介して独立基礎上梁部と床下空間との間に熱伝達が発生することを防止又は抑制できると共に天端部と独立基礎上梁部との間に熱伝達が発生することをより適切に防止又は抑制できるという優れた効果を有する。
【００１９】
第４の態様に係る建物の床断熱構造は、独立基礎及び床梁と床梁の建物上方側に配設される床との間に熱伝達が発生することをより包括的に防止又は抑制することができるため、建物基礎を介した熱橋をより適切に遮断することができるという優れた効果を有する。
【００２０】
第５の態様に係る床断熱構造建物の施工方法は、アンカーボルトとボルト挿通孔との位置合わせを容易にすることができると共に天端部と独立基礎上梁部との間に熱伝達が発生することをより適切に防止又は抑制できる。このため、建物基礎を介した熱橋をより適切に遮断する建物の床断熱構造を簡易に構成することができるという優れた効果を有する。
【図面の簡単な説明】
【００２１】
【図１】本実施形態に係る建物基礎を建物上方側から見た平面図である。
【図２】本実施形態に係る躯体フレームを建物上方側から見た斜視図である。
【図３】第１実施形態に係る建物の床断熱構造を図１の３−３線に沿って切断した状態を示す縦断面図である。
【図４】第１実施形態に係る建物の床断熱構造を図１の４−４線に沿って切断した状態を示す縦断面図である。
【図５Ａ】本実施形態に係る床断熱構造建物の施工方法の第１工程を示した説明図である。
【図５Ｂ】本実施形態に係る床断熱構造建物の施工方法の第２工程を示した説明図である。
【図５Ｃ】本実施形態に係る床断熱構造建物の施工方法の第３工程を示した説明図である。
【図５Ｄ】本実施形態に係る床断熱構造建物の施工方法の第４工程を示した説明図である。
【図６】第１実施形態の第１変形例に係る建物の床断熱構造を示す縦断面図である。
【図７】第１実施形態の第２変形例に係る建物の床断熱構造を示す縦断面図である。
【図８】第１実施形態の第３変形例に係る建物の床断熱構造を示す縦断面図である。
【図９】第２実施形態に係る建物の床断熱構造を示す縦断面図である。
【図１０】第３実施形態に係る建物の床断熱構造を示す縦断面図である。
【図１１】第３実施形態の第１変形例に係る建物の床断熱構造を示す縦断面図である。
【発明を実施するための形態】
【００２２】
（第１実施形態）
以下、図１〜図８を用いて、本発明に係る建物の床断熱構造及び床断熱構造建物の施工方法の第１実施形態について説明する。
【００２３】
（建物の全体構成）
図１には示されるように、本実施形態に係る建物の床断熱構造１０を備えた建物１２の建物基礎５０への配置の一例が示されている。建物１２は、建物基礎５０上へ配置された複数の建物ユニット１４Ａ、１４Ｂ、１４Ｃ、１４Ｄが互いに連結されたユニット式建物として構成されている。建物１２の内部には、土間、インナガレージ等を形成するための内部空間１６が形成されている。このため、内部空間１６と平面視で重なる部分には、建物基礎５０は形成されていない。また、建物ユニット１４の躯体フレーム２０の内部空間１６と平面視で重なる部分は切断されている。
【００２４】
図２には、ユニット式建物を構成する建物ユニット１４の躯体フレーム２０が示されている。躯体フレーム２０は、四隅に立設された４本の外柱２２と、外柱２２の上端部間に架設された天井大梁２４により矩形枠状に形成された天井フレーム２６と、外柱２２の下端部間に架設された床大梁３４により矩形枠状に形成された床フレーム３６と、により箱型に構成されている。また、外柱２２には、方形の鋼管柱が用いられている。
【００２５】
躯体フレーム２０の建物上方側を構成する天井フレーム２６は、長辺側に配置された一対の桁側の天井大梁２４Ａと、短辺側に配置された一対の妻側の天井大梁２４Ｂと、一対の桁側の天井大梁２４Ａ間に架け渡された複数本の天井小梁２８と、を含んで構成されている。なお、桁側の天井大梁２４Ａ、床側天井大梁２４Ｂはいずれも溝形鋼とされている。また、天井小梁２８は、溝形鋼（Ｃ形鋼）とされている。天井小梁２８の下面側には、図示しない矩形平板状の天井面材が取り付けられている。
【００２６】
躯体フレーム２０の建物下方側を構成する床フレーム３６は、長辺側に配置された一対の桁側の床大梁３４Ａと短辺側に配置された一対の妻側の床大梁３４Ｂにより外形が構成されている。桁側の床大梁３４Ａ及び妻側の床大梁３４Ｂは、建物上方側の上フランジ４６、建物上下方向に沿って形成されたウェブ４５及び建物下方側の下フランジ４２を備えた溝形鋼とされている。なお、桁側の床大梁３４Ａと妻側の床大梁３４Ｂの両者を区別する必要がない場合は「床大梁３４」と総称する。床大梁３４は、長手方向に沿って外柱２２の下端部間に架設されている。桁側の床大梁３４Ａ間には、角形鋼管により一体に形成され、端部を桁側の床大梁３４Ａの溝部の内側に溶接されたブラケット４０に接合された床小梁３８が、架け渡されている。床フレーム３６は、桁側の床大梁３４Ａと、妻側の床大梁３４Ｂと、床小梁３８と、を含んで構成されている。また、床大梁３４の建物下方側の下フランジ４２には、アンカーボルト４８（図３参照）を挿入するためのフランジ部挿通孔４４（図３参照）が形成されている。
【００２７】
図１に示されるように、建物基礎５０は、建物１２の外周に沿って連続して形成された外周基礎５２と外周基礎５２により囲まれた内側空間（床下空間５４）に形成された独立基礎５６とを含んで構成されている。建物基礎５０上へ建物ユニット１４Ａ、１４Ｂ、１４Ｃ、１４Ｄが配置されることにより建物１２が構成されている。
【００２８】
外周基礎５２と独立基礎５６とは、どちらも筋金により補強された鉄筋コンクリート造のいわゆる布基礎とされている。図３に示されるように、独立基礎５６は、地盤としての床下地盤Ｇの内部に埋設されたベース部５６Ａ（フーチング）（図８参照）と、ベース部５６Ａから建物上方に立ち上がる立上部５６Ｂと、を含んで構成されている。独立基礎５６の立上部５６Ｂの上面を形成する天端部５６Ｃには、躯体フレーム２０を独立基礎５６に固定するためのアンカーボルト４８を挿通するためのボルト挿通孔５８が形成されている。また、外周基礎５２と独立基礎５６は、立上部５６Ｂが低く形成され、床大梁３４に沿って延在された図示しない繋ぎ基礎を介して繋がっている。
【００２９】
独立基礎５６の内部空間１６に対向する側には、切断された桁側の床大梁３４Ａに沿って内部空間１６へ向けて延在された独立基礎延在部５６Ｅが形成されている。切断された桁側の床大梁３４Ａは、独立基礎延在部５６Ｅの内部空間１６側の端部において、アンカーボルト４８を介して独立基礎５６に緊結されている。
【００３０】
図４に示されるように、建物ユニット１４Ａ、１４Ｂ、１４Ｃ、１４Ｄは、外柱２２の下端部に外柱２２と一体に形成されたベースプレート２２Ａの下面が当接するように立上部５６Ｂの天端部５６Ｃに設置される。図３に示されるように、床大梁３４のうち、天端部５６Ｃの建物上方側に配置されている部分は、独立基礎上梁部６６とされている。独立基礎上梁部６６は、天端部５６Ｃの建物上方側に天端部５６Ｃの両方の縁部５６Ｃ１よりも内側にオフセットして配置されている。言い換えれば、独立基礎５６は、独立基礎上梁部６６が天端部５６Ｃの両方の縁部５６Ｃ１よりも内側に配置可能に、その立上部５６Ｂが形成されている。床大梁３４は、ベースプレート２２Ａよりも建物上方側で外柱２２間に架け渡されているため（図４参照）、独立基礎上梁部６６の下フランジ４２の下面と天端部５６Ｃとの間には、隙間空間部６２が形成されている。隙間空間部６２は、天端部５６Ｃの縁部５６Ｃ１側から床下空間５４に対して開放されている。
【００３１】
図４に示されるように、独立基礎５６の天端部５６Ｃに設置された建物ユニット１４Ｃ、１４Ｄの外柱２２に接合された妻側の床大梁３４Ｂの下フランジ４２と独立基礎５６の天端部５６Ｃとの間にも、隙間空間部６２が形成されている。隙間空間部６２は、天端部５６Ｃの縁部５６Ｃ１側から床下空間５４に対して開放されている。
【００３２】
図１に示されるように、床下空間５４の建物下方側の地面ＳＥは、全面に亘って土間コンクリート６８が敷設されている。また、床下空間５４は、外周基礎５２に形成された図示しない換気孔によって建物外部と連通されている。
【００３３】
（床部の構成）
図３に示されるように、床大梁３４の建物上方側の上フランジ４６の上面には、上フランジ４６に沿って床根太７２が配置されている。床根太７２の上面には床板７４が配置されている。これにより、建物１２の居室部内の床部７０が形成されている。床板７４は、例えば、合板又はパーティクルボード等により構成されており、図示しない締結具によって床大梁３４及び床小梁３８に締結されている。
【００３４】
床板７４の裏面側となる床下空間５４側の面には、床裏断熱材７６が配置されている。床裏断熱材７６は、例えば、ウレタンフォームにより板状に形成されている。床裏断熱材７６は、床板７４の裏面側の床根太７２に当接されている部分を除く前面に貼り付けられている。ウレタンフォームのような発泡プラスチック系断熱材は形状を安定させることができるため、床裏断熱材７６を床板７４の裏面側を覆うように貼り付けることができる。なお、ここでは、床裏断熱材７６には、ウレタンフォームが用いられているとして説明したが、これに限らず、フェノールフォーム、高発泡ポリエチレン、押出し発泡ポリスチレン、ビーズ法ポリスチレン等の発泡プラスチック系断熱材が用いられてもよい。
【００３５】
（第１床断熱材）
独立基礎５６の立上部５６Ｂの側面を形成する立上側面部５６Ｂ１の地盤Ｇ（図８参照）上の全面には、第１床断熱材８４が立上側面部５６Ｂ１に密着して配置されている。第１床断熱材８４には、例えば、ウレタンフォームが用いられている。ウレタンフォームのような発泡プラスチック系断熱材は形状を安定させることができるため、第１床断熱材８４により独立基礎５６の立上部５６Ｂの立上側面部５６Ｂ１を安定して覆うことができる。なお、ここでは、第１床断熱材８４は、ウレタンフォームが用いられているとして説明したが、これに限らず、フェノールフォーム、高発泡ポリエチレン、押出し発泡ポリスチレン、ビーズ法ポリスチレン等の発泡プラスチック系断熱材が用いられてもよい。
【００３６】
（第２床断熱材）
溝形鋼により構成された床大梁３４の溝部には、溝部の内側となる上フランジ４６及びウェブ４５の第１床断熱材８４側の面と溝部に溶接されたブラケット４０の全面を覆うように第２床断熱材としての床大梁断熱材８６が配置されている。床大梁断熱材８６には、例えば、グラスウールが用いられている。グラスウールのような繊維系断熱材は容易に変形させることができるため、床大梁断熱材８６を溝部とブラケット４０に密着するように取り付けることができる。なお、ここでは、床大梁断熱材８６には、グラスウールが用いられているとして説明したが、これに限らず、ロックウール、セルロースファイバ、インシュレーションボード等のグラスウール以外の繊維系断熱材が用いられてもよい。また、床大梁断熱材８６には、繊維系断熱材に限らず、発泡プラスチック系断熱材が用いられてもよい。
【００３７】
（第３床断熱材）
独立基礎上梁部６６の下フランジ４２と天端部５６Ｃとの間に形成された隙間空間部６２には、第３床断熱材８２が下フランジ４２と天端部５６Ｃとに密着して隙間空間部６２を塞ぐように配置されている。天端部５６Ｃの縁部５６Ｃ１では、第３床断熱材８２は、第１床断熱材８４と床大梁断熱材８６に上下に挟まれて配置されている。これにより、独立基礎上梁部６６の下フランジ４２と床下空間５４とが遮断されている。第３床断熱材８２には、例えば、グラスウールが用いられている。グラスウールのような繊維系断熱材は容易に変形させることができるため、下フランジ４２と天端部５６Ｃに密着させた状態で隙間空間部６２に配置させることができる。なお、ここでは、第３床断熱材８２には、グラスウールが用いられているとして説明したが、これに限らず、ロックウール、セルロースファイバ、インシュレーションボード等のグラスウール以外の繊維系断熱材が用いられてもよい。
【００３８】
桁側の床大梁３４Ａ間に架け渡された床小梁３８には、その溝部を含む全面を覆うように床小梁断熱材８８が配置されている。床小梁断熱材８８には、例えば、グラスウールが用いられている。なお、ここでは、床小梁断熱材８８には、グラスウールが用いられているとして説明したが、これに限らず、ロックウール、セルロースファイバ、インシュレーションボード等のグラスウール以外の繊維系断熱材が用いられてもよい。また、床小梁断熱材８８には、繊維系断熱材に限らず、発泡プラスチック系断熱材が用いられてもよい。      
【００３９】
図３に示されるように、隣り合う建物ユニット１４Ａ、１４Ｂの独立基礎上梁部６６を形成する床大梁３４Ａの間には、床大梁３４Ａの間を塞ぐように梁間断熱材９０が配置されている。梁間断熱材９０には、例えば、グラスウールが用いられている。グラスウールのような繊維系断熱材は容易に変形させることができるため、隣り合う床大梁３４Ａに梁間断熱材９０を密着するように取り付けることができる。なお、ここでは、梁間断熱材９０には、グラスウールが用いられているとして説明したが、これに限らず、ロックウール、セルロースファイバ、インシュレーションボード等のグラスウール以外の繊維系断熱材が用いられてもよい。また、梁間断熱材９０には、繊維系断熱材に限らず、発泡プラスチック系断熱材が用いられてもよい。
【００４０】
次に、本実施形態に係る床断熱構造建物としての床断熱構造１０を有する建物１２の施工方法の説明を通じて作用並びに効果について説明する。
【００４１】
建物の床断熱構造１０は、４つの行程により施工される。躯体フレーム２０は、アンカーボルト４８を用いて独立基礎５６に固定される。このため、図５Ａに示されるように、第１工程では、独立基礎５６の天端部５６Ｃに建物上下方向に沿ってアンカーボルト４８を挿通するためのボルト挿通孔５８が形成される。ここで、ボルト挿通孔５８は、独立基礎上梁部６６を独立基礎５６に固定した際に、天端部５６Ｃの両方の縁部５６Ｃ１よりも内側にオフセットして配置されるように形成される。
【００４２】
第２工程では、図５Ｂに示されるように、ボルト挿通孔５８が形成された天端部５６Ｃに、繊維系断熱材の第３床断熱材８２が天端部５６Ｃの全面を覆うように配置される。ここで、第３床断熱材８２は、第１床断熱材８４の上端部と確実かつ適切な幅をもって連続させるために、天端部５６Ｃの建物水平方向外側端部よりも所定の長さ（所定の量）だけはみ出して配置されている。
【００４３】
第３工程では、図５Ｃに示されるように、ボルト挿通孔５８と建物上下方向に沿って重なる位置に孔としての孔部９２が形成される。具体的には、天端部５６Ｃに配置された第３床断熱材８２の建物上方側のボルト挿通孔５８と建物上下方向に沿って重なる位置から、例えば、キリ等の先端が鋭利に形成された工具９４を用いて第３床断熱材８２を突くことによって、孔部９２が形成される。ここで、繊維系断熱材の第３床断熱材８２は容易に変形させることができるため、孔部９２は、建物上方側からアンカーボルト４８の挿通する位置が確認できる程度にボルト挿通孔５８よりも小さな孔が形成されている。
【００４４】
第４工程では、図５Ｄに示されるように、予め下フランジ４２にアンカーボルト４８が締結された躯体フレーム２０が、独立基礎５６に据付けられる。具体的には、第３床断熱材８２に形成された孔部９２を基準にして下フランジ４２にアンカーボルト４８が締結された独立基礎上梁部６６が建物上方側から独立基礎５６に緊結される。これにより、躯体フレーム２０を独立基礎５６に固定することができる。さらに、独立基礎５６に設置された躯体フレーム２０に、床大梁断熱材８６、床小梁断熱材８８及び梁間断熱材９０が配置されると共に立上側面部５６Ｂ１に、第１床断熱材８４が配置されること（いずれも図示省略）により、建物の床断熱構造１０が構成される。
【００４５】
なお、図４で示されるように外柱２２に接合された妻側の床大梁３４Ａ、３４Ｂの下フランジ４２と独立基礎５６の天端部５６Ｃとの間に形成された隙間空間部６２には、外柱２２が独立基礎５６に設置されてから、隙間空間部６２に第３床断熱材８２が配置される。
【００４６】
本実施形態に係る建物の床断熱構造１０によれば、建物の床断熱構造１０は、独立基礎上梁部６６の下フランジ４２と床下空間５４との間を遮断する第３床断熱材８２と立上側面部５６Ｂ１の全面を覆う第１床断熱材８４を含んで構成されている。このため、独立基礎上梁部６６と床下空間５４との間に独立基礎５６を介した熱伝達が発生することを防止又は抑制することができる。さらに、溝部の内側となる上フランジ４６及びウェブ４５の第１床断熱材８４側の表面を覆うように第２床断熱材８６が設けられている。このため、独立基礎５６及び独立基礎上梁部６６と独立基礎上梁部６６の建物上方側に配設される床部７０との間に熱伝達が発生することを包括的に防止又は抑制することができる。これにより、独立基礎５６を介した熱橋を適切に遮断することができる。
【００４７】
また、本実施形態に係る建物の床断熱構造１０によれば、第３床断熱材８２を構成する繊維系断熱材は容易に変形させることができるため、下フランジ４２と天端部５６Ｃに密着させた状態で隙間空間部６２に第３床断熱材８２を配置させることができる。このため、床大梁３４と床下空間５４との間及び独立基礎５６の天端部５６Ｃと床大梁３４との間をより効果的に断熱することができる。さらに、第１床断熱材８４を構成する発泡プラスチック系断熱材は形状を安定させることができるため、独立基礎５６の立上部５６Ｂの立上側面部５６Ｂ１を第１床断熱材８４により安定して覆うことができる。このため、立上部５６Ｂの側面と床下空間５４との間をより効果的に断熱することができる。これにより、独立基礎５６を介した熱橋をより適切に遮断することができる。
【００４８】
さらに、本実施形態に係る建物の床断熱構造１０によれば、床大梁３４の表面には、グラスウールにより構成された床大梁断熱材８６が配置されている。グラスウールのような繊維系断熱材は容易に変形させることができるため、床大梁断熱材８６を床大梁３４に密着するように取り付けることができる。また、床小梁３８の表面には、グラスウールにより構成された床小梁断熱材８８が配置されており、床小梁断熱材８８を床小梁３８に密着するように取り付けることができる。さらに、床大梁３４Ａの間には、梁間断熱材９０が配置されている。このため、独立基礎５６及び独立基礎上梁部６６と独立基礎上梁部６６の建物上方側に配設される床部７０との間に熱伝達が発生することをより包括的に防止又は抑制することができる。これにより、独立基礎５６を介した熱橋をより適切に遮断することができる。
【００４９】
本実施形態に係る床断熱構造１０を有する建物１２の施工方法によれば、第２工程により天端部５６Ｃの全面を覆うように配置された繊維系断熱材は、容易に加工することができる。このため、第３工程において繊維系断熱材に孔９２を容易に形成することができると共に第４工程においてアンカーボルト４８とボルト挿通孔５８との位置合わせを容易にすることができる。また、天端部５６Ｃの全面を覆うように配置された繊維系断熱材により、天端部５６Ｃと独立基礎上梁部６６との間に熱伝達が発生することをより適切に防止又は抑制できる。これにより、独立基礎５６を介した熱橋をより適切に遮断する建物の床断熱構造１０を簡易に構成することができる。
【００５０】
以上を総括すると、本実施形態に係る建物の床断熱構造１０及び床断熱構造１０を有する建物１２の施工方法により独立基礎５６を介した熱橋を適切に遮断することができる。
【００５１】
（第１実施形態の第１変形例）
次に、図６を用いて、本実施形態の第１変形例について説明する。なお、前述した本実施形態と同一構成部分については、同一番号を付してその説明を省略する。
【００５２】
本変形例に係る建物の床断熱構造１１０は、独立基礎延在部５６Ｅの建物上方側に配置された建物ユニット１４Ａ、１４Ｂの桁側の床大梁３４Ａのうち、一方の桁側の床大梁３４Ａだけがアンカーボルト４８により固定されている。
【００５３】
本変形例によれば、第３床断熱材８２を構成する繊維系断熱材は容易に変形させることができるため、アンカーボルト４８の有無に関係なく下フランジ４２と天端部５６Ｃに密着させた状態で隙間空間部６２に第３床断熱材８２を配置させることができる。このため、第３床断熱材８２により隙間空間部６２を介して独立基礎上梁部６６の下フランジ４２と床下空間５４との間に熱伝達が発生することを防止又は抑制できる。また、第１床断熱材８４により独立基礎５６の立上部５６Ｂの立上側面部５６Ｂ１と床下空間５４との直接接触が防止されるため、独立基礎５６と床下空間５４との熱伝達が発生することを防止又は抑制できる。これにより、独立基礎５６を介した熱橋をより適切に遮断することができる。
【００５４】
（第１実施形態の第２変形例）
次に、図７を用いて、本実施形態の第２変形例について説明する。なお、前述した本実施形態と同一構成部分については、同一番号を付してその説明を省略する。
【００５５】
本変形例に係る建物の床断熱構造１２０は、一方の天端部５６Ｃの縁部５６Ｃ１側（図中右側）には、第１床断熱材８４と第２床断熱材８６に上下に挟まれるように繊維系断熱材の第３床断熱材８２が配置されている、これにより、下フランジ４２と床下空間５４との間が遮断されている。また、他方の天端部５６Ｃの縁部５６Ｃ１側（図中左側）には、第１床断熱材８４を構成する発泡プラスチック系断熱材が第２床断熱材８６の下端まで延在されて第３床断熱材８２が形成されている。これにより、下フランジ４２と床下空間５４との間が遮断されている。
【００５６】
本変形例によれば、第１床断熱材８４を構成する発泡プラスチック系断熱材は形状を安定させることができるため、第１床断熱材８４は、隙間空間部６２と床下空間５４との間を安定して遮断することができる。このため、隙間空間部６２を介して独立基礎上梁部６６と床下空間５４との間に熱伝達が発生することを防止又は抑制できる。これにより、独立基礎５６を介した熱橋をより適切に遮断することができる。
【００５７】
（第１実施形態の第３変形例）
次に、図８を用いて、本実施形態の第３変形例について説明する。なお、前述した本実施形態と同一構成部分については、同一番号を付してその説明を省略する。
【００５８】
本変形例に係る建物の床断熱構造１３０は、独立基礎５６の立上部５６Ｂの立上側面部５６Ｂ１に配置された第１床断熱材８４が、土間コンクリート６８かつ地面ＳＥの建物下方側の立上部５６Ｂの下端部５６Ｂ２まで延在されている。
【００５９】
本変形例によれば、立上部５６Ｂの立上側面部５６Ｂ１の全面が第１床断熱材８４により覆われるため、立上部５６Ｂの立上側面部５６Ｂ１の断熱効果をより向上させることができる。このため、独立基礎５６と床下空間５４との間をより効果的に断熱することができる。これにより、独立基礎５６を介した熱橋をより適切に遮断することができる。
【００６０】
（第２実施形態）
次に、図９を用いて、第２実施形態について説明する。なお、前述した第１実施形態と同一構成部分については、同一番号を付してその説明を省略する。
【００６１】
本実施形態に係る建物の床断熱構造２１０によれば、天端部５６Ｃに沿って配置された第３床断熱材８２を構成する繊維系断熱材は、独立基礎５６の立上部５６Ｂの立上側面部５６Ｂ１に沿って土間コンクリート６８（図示省略）まで延在されている。このため、延在された繊維系断熱材により、第１床断熱材８４が形成されている。これにより、独立基礎５６の天端部５６Ｃ及び立上部５６Ｂの立上側面部５６Ｂ１の地盤Ｇ上の部分は第１床断熱材８４及び第３床断熱材８２を構成する繊維系断熱材により一体的に覆われている。
【００６２】
本実施形態によれば、建物の床断熱構造２１０は、第３床断熱材８２と第１床断熱材８４を一体で形成する繊維系断熱材により独立基礎５６が全体的に覆われることにより、独立基礎５６及び隙間空間部６２を介して独立基礎上梁部６６と床下空間５４との間に熱伝達が発生することを防止又は抑制できる。これにより、独立基礎５６を介した熱橋をより適切に遮断することができる。
【００６３】
（第３実施形態）
次に、図１０を用いて、第３実施形態について説明する。なお、前述した第１実施形態と同一構成部分については、同一番号を付してその説明を省略する。
【００６４】
本実施形態に係る建物の床断熱構造３１０によれば、天端部５６Ｃの縁部５６Ｃ１側には、第１床断熱材８４を構成する発泡プラスチック系断熱材が第２床断熱材８６の下端まで延在されて第３床断熱材８２が形成されている。これにより、下フランジ４２と床下空間５４との間が遮断されている。
【００６５】
本実施形態によれば、第１床断熱材８４を構成する発泡プラスチック系断熱材は形状を安定させることができるため、第１床断熱材８４は、隙間空間部６２と床下空間５４との間を安定して遮断することができる。このため、独立基礎５６及び隙間空間部６２を介して独立基礎上梁部６６と床下空間５４との間に熱伝達が発生することを防止又は抑制できる。これにより、独立基礎５６を介した熱橋をより適切に遮断することができる。
【００６６】
（第３実施形態の第１変形例）
次に、図１１を用いて、本実施形態の第１変形例について説明する。なお、前述した本実施形態と同一構成部分については、同一番号を付してその説明を省略する。
【００６７】
本変形例に係る建物の床断熱構造３２０は、独立基礎延在部５６Ｅの建物上方側に配置された建物ユニット１４Ａ、１４Ｂの桁側の独立基礎上梁部６６は、天端部５６Ｃに配置されたプレート部９６の上面に設置されている。
【００６８】
本変形例によれば、アンカーボルト４８の有無に関係なく、第１床断熱材８４は、隙間空間部６２と床下空間５４との間を安定して遮断することができる。このため、独立基礎５６及び隙間空間部６２を介して独立基礎上梁部６６と床下空間５４との間に熱伝達が発生することを防止又は抑制できる。これにより、独立基礎５６を介した熱橋をより適切に遮断することができる。
【符号の説明】
【００６９】
１０   建物の床断熱構造
１２   建物
２０   躯体フレーム
２２   外柱
３４   床大梁
３６   床フレーム
３８   床小梁
４２   下フランジ
４５   ウェブ
４６   上フランジ
４８   アンカーボルト
５４   床下空間
５６   独立基礎
５６Ｂ 立上部
５６Ｂ１  立上側面部
５６Ｃ 天端部
５６Ｃ１  縁部
５８   ボルト挿通孔
６２   隙間空間部
６６   独立基礎上梁部
８２   第３床断熱材
８４   第１床断熱材
８６   床大梁断熱材（第２床断熱材）
９２   孔部（孔）
Ｇ     床下地盤（地盤）
【図１】
2020133127.tif 000003
【図２】
2020133127.tif 000004
【図３】
2020133127.tif 000005
【図４】
2020133127.tif 000006
【図５Ａ】
2020133127.tif 000007
【図５Ｂ】
2020133127.tif 000008
【図５Ｃ】
2020133127.tif 000009
【図５Ｄ】
2020133127.tif 000010
【図６】
2020133127.tif 000011
【図７】
2020133127.tif 000012
【図８】
2020133127.tif 000013
【図９】
2020133127.tif 000014
【図１０】
2020133127.tif 000015
【図１１】
2020133127.tif 000016